(57)【要約】【課題】眼鏡ストラップの取付環が緩んで、眼鏡ストラップから眼鏡が外れることを防止する。【解決手段】眼鏡４の左右のつる５にそれぞれ着脱自在に装着され、眼鏡ストラップ６の両端の取付環７が取り付けられる眼鏡ストラップ留め具であって、弾性材料から形成された短管状の本体１を有する。本体１が眼鏡４の左右のつる５にそれぞれ差し込み装着された状態で、本体１に眼鏡ストラップ６の取付環７が取り付けられる。【選択図】図１
2016200648.tif 000002
【特許請求の範囲】
【請求項１】
眼鏡の左右のつるにそれぞれ着脱自在に装着され、眼鏡ストラップの両端の取付環が取り付けられる眼鏡ストラップ留め具であって、
弾性材料から形成された短管状の本体を有し、前記本体が前記つるに差込み装着された状態で、前記本体に前記眼鏡ストラップの取付環が取り付けられるものであることを特徴とする眼鏡ストラップ留め具。
【請求項２】
前記本体の外周面に環状凹部が設けられ、前記環状凹部に前記眼鏡ストラップの取付環が取り付けられることを特徴とする請求項１に記載の眼鏡ストラップ留め具。
【発明の詳細な説明】
【技術分野】
【０００１】
本発明は、眼鏡の左右のつるに装着され、眼鏡ストラップを眼鏡のつるの定位置に固定するための眼鏡ストラップ留め具に関するものである。
【背景技術】
【０００２】
眼鏡の左右のつるに取り付けられ、眼鏡の不使用時に、又は装着された眼鏡が不意に外れた場合に、眼鏡を使用者の首から吊り下げ状態に支持する眼鏡ストラップが従来より知られている。この種の眼鏡ストラップとしては、例えば特許文献１及び２に記載されたものがある。これらの眼鏡ストラップは、吊下げ紐（又は鎖）の両端にそれぞれ取付環を備えており、取付環は、吊下げ紐に連結金具を介して連結された弾性を有するループと、このループが２つ折り状態又は９０度捩じられた状態で挿通された筒状又は球状の締め付け調整部材とから構成されている。
【０００３】
そして、各取付環の締め付け調整部材から突出する先端ループ部分が、眼鏡の左右のそれぞれのつるに通された後、締め付け調整部材がつる側にスライドせしめられて先端ループ部分が絞られることで、眼鏡ストラップが眼鏡のつるに取り付けられる。
しかし、この構成によれば、取付環の先端ループ部分が僅かでも緩むと、取付環は眼鏡のつる上を自由に移動し得るようになり、眼鏡ストラップから眼鏡が容易に外れて床等に落下し、破損してしまうという問題があった。
【先行技術文献】
【特許文献】
【０００４】
【特許文献１】特開平８−１７９２４６号公報
【特許文献２】特表平９−５０７５８７号公報
【発明の概要】
【発明が解決しようとする課題】
【０００５】
したがって、本発明の課題は、眼鏡ストラップの取付環が緩んで、眼鏡ストラップから眼鏡が外れることを防止することにある。
【課題を解決するための手段】
【０００６】
上記課題を解決するため、本発明は、眼鏡の左右のつるにそれぞれ着脱自在に装着され、眼鏡ストラップの両端の取付環が取り付けられる眼鏡ストラップ留め具であって、弾性材料から形成された短管状の本体を有し、前記本体が前記つるに差し込み装着された状態で、前記本体に前記眼鏡ストラップの取付環が取り付けられるものであることを特徴とする眼鏡ストラップ留め具を構成したものである。
上記構成において、好ましくは、前記本体の外周面に環状凹部が設けられ、前記環状凹部に前記眼鏡ストラップの取付環が取り付けられる。
【発明の効果】
【０００７】
本発明によれば、眼鏡ストラップを眼鏡に取り付けた状態で、眼鏡ストラップの取付環と眼鏡のつるの間に眼鏡ストラップ留め具が介在して隙間が殆ど生じず、しかも、眼鏡ストラップ留め具はつる上の定位置に固定され、また、取付環のループ部分及び眼鏡ストラップ留め具は共に弾性を有していて取付環と眼鏡ストラップ留め具が互いに密着する。そのため、眼鏡ストラップの取付環の緩みが殆ど生じず、眼鏡ストラップは眼鏡のつるの定位置に安定的に固定される。
【図面の簡単な説明】
【０００８】
【図１】（Ａ）は本発明の１実施例による眼鏡ストラップ留め具の斜視図であり、（Ｂ）は本発明の別の実施例による眼鏡ストラップ留め具の斜視図であり、（Ｃ）は（Ｂ）の変形例の斜視図であり、（Ｄ）は（Ａ）の眼鏡ストラップ留め具を眼鏡の左右のつるに装着した状態を示す斜視図である。
【図２】（Ａ）は本発明の眼鏡ストラップ留め具を使用して眼鏡ストラップを眼鏡のつるに取り付けた場合の、つるに直交する方向にとった断面図であり、（Ｂ）は眼鏡ストラップを直接眼鏡のつるに取り付けた場合の（Ａ）に類似の図である。
【発明を実施するための形態】
【０００９】
以下、添付図面を参照しつつ本発明の好ましい実施例を説明する。図１（Ａ）は本発明の１実施例による眼鏡ストラップ留め具の斜視図である。図１（Ａ）を参照して、本発明の眼鏡ストラップ留め具は、弾性材料から形成された短管状を有する本体１を有している。また、本体１の外周面１ａの一端側は一定の幅で環状に隆起し、環状の止め部１ｂを形成している。止め部１ｂは本発明に必須の構成要件ではなく、必要に応じて設けられる。
弾性材料としては、公知の適当な材料が使用可能であり、例えば、天然ゴムやシリコーンゴムが使用される。
【００１０】
本発明の眼鏡ストラップ留め具の使用時は、図１（Ｄ）に示すように、本体１が、眼鏡４の左右のつる５のそれぞれに、止め部１ｂが眼鏡４の耳あて側に位置する配置で差込み装着される。そして、本体１の中間部に眼鏡ストラップ６の取付環７のループ部分９が嵌め込まれた後、取付環７の締め付け調整部材８が眼鏡ストラップ留め具１側にスライドせしめられて、ループ部分９が本体１に締め付け固定され、それによって、取付環７が本体１に取り付けられる。
【００１１】
この場合、図２（Ａ）に示すように、取付環７のループ部分９とつる５との間に眼鏡ストラップ留め具の本体１が介在して隙間が殆ど生じず、また眼鏡ストラップ留め具の本体１はつる５上の定位置に固定され、しかも、ループ部分９及び本体１は共に弾性を有していてループ部分９と本体１が互いに密着する。そのため、眼鏡ストラップ６の取付環７の緩みは殆ど生じず、眼鏡ストラップ６は眼鏡４のつる５の定位置に安定的に固定される。
【００１２】
また、万一取付環７（ループ部分９）が緩んで本体１上を移動可能になっても、取付環７は止め部１ｂによって制止され、よって、眼鏡４の落下が確実に防止される。
【００１３】
これに対し、従来例のように眼鏡ストラップ６を直接眼鏡４のつる５に取り付けた場合には、図２（Ｂ）に示すように、取付環７のループ部分９とつる５との間にかなりの隙間が生じており、よって、取付環７が緩みやすく、取付環７が僅かに緩んだだけでつる５上を自由に移動するようになり、眼鏡４が容易に眼鏡ストラップ６から外れてしまう。
【００１４】
図１（Ｂ）は、本発明の別の実施例による眼鏡ストラップ留め具の斜視図である。
この実施例では、本体１の外周面１ａに環状凹部２が設けられ、環状凹部２は、断面がＵ字状又はＶ字状の環状溝からなっている。環状凹部２の構成はこの実施例に限定されず、例えば、図１（Ｃ）に示すように、本体１の外周面１ａの中間領域に、軸方向に間隔をあけて一対の環状隆起３ａ、３ｂを設け、これらの環状隆起３ａ、３ｂの間の領域を環状凹部２’とすることもできる。
なお、環状凹部２、２’は、眼鏡ストラップの取付環のループ部分を収容し得る大きさの幅、好ましくは、当該ループ部分の直径に対応する大きさの幅を有している。
この実施例によれば、眼鏡４のつる５に装着された本体１の環状凹部２、２’に眼鏡ストラップ６の取付環７が取り付けられる。この場合には、取付環７のループ部分９が眼鏡ストラップ留め具の本体１により食い込んだ状態で締め付け固定されるので、取付環７がより安定的に固定される。
【００１５】
以上、本発明の構成をいくつかの実施例に基づいて説明したが、本発明の構成はそれらの実施例に限定されるものではなく、添付の特許請求の範囲に記載した構成の範囲内で種々の変形例を案出できることは言うまでもない。
例えば、別の好ましい実施例によれば、眼鏡ストラップ留め具は、眼鏡のつるに装着した状態で、つるの内側面に位置する部分に磁石を備えており、この磁石の磁力によって、使用者のこめかみ付近の血行が促進され、目の疲労が緩和される等の効果が得られる。
【符号の説明】
【００１６】
１  眼鏡ストラップ留め具の本体
１ａ  外周面
１ｂ  止め部
２、２’  環状凹部
３ａ、３ｂ  環状隆起
４  眼鏡
５  つる
６  眼鏡ストラップ
７  取付環
８  締め付け調整部材
９  ループ部分
【図１】
2016200648.tif 000003
【図２】
2016200648.tif 000004